(57)【特許請求の範囲】
【請求項１】
ボックス本体（１０）と、
前記ボックス本体（１０）の内部空間を１以上のブドウ収容空間に画成する隔壁（２０）と、
ブドウの房（５０）を収容して別々に梱包する梱包袋（３０）と、
前記梱包袋（３０）を前記ボックス本体（１０）の各ブドウ収容空間に吊り下げて支持するための据置手段（４０）と、
を備え、
前記据置手段（４０）は、前記ボックス本体（１０）の上部に設けられ、前記ブドウ収容空間の中央部に配設される掛止溝（４２、４２’）を有する据置部材（４１）と、前記据置部材の掛止溝に引っ掛けるための第１引掛部（４６）と前記梱包袋を引っ掛けるための第２引掛部（４７）とがＳ字状に湾曲された引掛部材（４５）と、を備えることを特徴とするブドウ梱包ボックス。
【請求項２】
前記引掛部材の第２引掛部は、前記梱包袋の開口を結束した紐を引っ掛けるためのものであることを特徴とする請求項１に記載のブドウ梱包ボックス。
【請求項３】
前記据置部材は、前記掛止溝と隣設されて前記引掛部材の前記据置部材に対する左右位置を変更可能にするための第２掛止溝をさらに備えることを特徴とする請求項１に記載のブドウ梱包ボックス。
【請求項４】
ボックス本体（１０）と、
前記ボックス本体（１０）の内部空間を１以上のブドウ収容空間に画成する隔壁（２０）と、
ブドウの房（５０）を収容して別々に梱包する梱包袋（３０）と、
前記梱包袋（３０）を前記ボックス本体（１０）の各ブドウ収容空間に吊り下げて支持するための据置手段（４０、４０Ｂ）と、
を備え、
前記据置手段（４０、４０Ｂ）は、前記ボックス本体（１０）の上部に設けられ、前記梱包袋（３０）の開口を結束した紐を引っ掛けるための引掛部（４５Ｂ）が一体に形成された据置部材（４１Ｂ）を備えることを特徴とするブドウ梱包ボックス。
【請求項５】
ボックス本体（１１０）と、
前記ボックス本体（１１０）の内部に設けられて前記ボックス本体（１１０）の内部空間を１以上のブドウ収容空間に画成する隔壁（１２０）と、
前記ボックス本体（１１０）の上部に設けられる据置部材（１４１）と、
ブドウの房（５０）を別々に梱包するためのものであって、前記ブドウの房のブドウの蔕が上部にはみ出されるように前記ブドウの房を包み込む梱包袋（１３０）と、
前記梱包袋（１３０）によって別々に梱包されたブドウの房を前記据置部材（１４１）に吊り下げて支持するためのものであって、前記据置部材（１４１）に引っ掛けるための引掛部が上部に形成された円筒状胴体（１４６）と、前記円筒状胴体（１４６）の下端部に配設され、ブドウの房のブドウの蔕を差し込んで固定するための多数の切欠された弾性固定片を有する固定プレート（１４７）及び前記円筒状胴体（１４６）に係合されて前記固定プレート（１４７）を固定し、下面の中央部にブドウの房のブドウの蔕が通過する通孔が形成された蓋体（１４８）を有する懸架部材（１４５）と、
を備えることを特徴とするブドウ梱包ボックス。
【請求項６】
前記円筒状胴体（１４６）は、上部胴体部と前記蓋体（１４８）が係合される下部胴体部（１４６−２）とに画成され、前記下部胴体部の直径は、前記上部胴体部の直径よりも前記蓋体の厚さに見合う分だけ小さく形成されて、前記蓋体の係合に際して前記円筒状胴体が同じ外表面を形成するように構成されたことを特徴とする請求項５に記載のブドウ梱包ボックス。
【請求項７】
前記下部胴体部（１４６−２）の外周面には雄ねじ部が形成され、前記蓋体の内周面には雌ねじ部が形成されて、前記円筒状胴体（１４６）に対して前記蓋体（１４８）を螺着するように構成されたことを特徴とする請求項６に記載のブドウ梱包ボックス。
【請求項８】
前記下部胴体部（１４６−２）の外周面には環状の固定溝（１４６ｃ）が形成され、前記蓋体（１４８）の内周面には前記固定溝（１４６ｃ）に嵌入する多数の固定突起（１４８ｃ）が所定の間隔を隔てて隔設されて、前記円筒状胴体に対して前記蓋体をワンタッチ方式により係合するように構成されたことを特徴とする請求項６に記載のブドウ梱包ボックス。
【請求項９】
前記据置部材（１４１）は、前記懸架部材（１４５）の引掛部（１４６ａ）が引っ掛けられる掛止溝（１４２、１４２’）を備えることを特徴とする請求項５に記載のブドウ梱包ボックス。
【請求項１０】
前記据置部材（１４１）は、前記掛止溝（１４２、１４２’）の両側と隣設されて、前記据置部材（１４１）に対する前記懸架部材（１４５）の左右位置を変更可能にするための第２掛止溝をさらに備えることを特徴とする請求項５に記載のブドウ梱包ボックス。
【請求項１１】
前記円筒状胴体（１４６）及び前記蓋体（１４８）は、プラスチックから形成され、前記固定プレート（１４７）は、金属、プラスチック、紙のうちのいずれかの材質から形成されたことを特徴とする請求項５に記載のブドウ梱包ボックス。
【請求項１２】
ボックス本体（２１０）と、
前記ボックス本体（２１０）の内部に設けられて前記ボックス本体（２１０）の内部空間を１以上のブドウ収容空間に画成する隔壁（２２０）と、
前記ボックス本体（２１０）の上部に設けられる据置部材（２４１）と、
ブドウの房（５０）を別々に梱包するものであって、前記ブドウの房のブドウの蔕（５１）が上部にはみ出されるように包み込む梱包袋（２３０）と、
前記据置部材（２４１）に引っ掛けるための引掛部と前記梱包袋（２３０）によって別々に梱包されたブドウの房のブドウの蔕を支持する支持部とを有する懸架部材（２４５、２４５Ａ、２４５Ｂ）と、
前記懸架部材（２４５、２４５Ａ、２４５Ｂ）の支持部に支持されたブドウの房のブドウの蔕を結束して懸架部材に固定するケーブルタイ（２６０）と、
を備えることを特徴とするブドウ梱包ボックス。
【請求項１３】
前記据置部材（２４１）は、前記懸架部材の引掛部（２４６）が引っ掛けられる掛止溝（２４２、２４２’）を備え、前記掛止溝の両側と隣設されて、前記据置部材に対する前記懸架部材の左右位置を変更可能にするための第２掛止溝をさらに備えることを特徴とする請求項１２に記載のブドウ梱包ボックス。
【請求項１４】
前記懸架部材（２４５）の支持部（２４７）は半円筒状に形成され、前記支持部には前記ケーブルタイ（２６０）が嵌入する一対の結束孔（２４８）が形成され、内側面にはブドウの蔕が滑り抜けることを防ぐための凹凸部（２４９）が形成されたことを特徴とする請求項１２に記載のブドウ梱包ボックス。
【請求項１５】
前記懸架部材（２４５Ａ）の支持部（２４７Ａ）は平板状に形成され、前記支持部（２４７Ａ）には前記ケーブルタイ（２６０）が嵌入する一対の結束孔（２４８Ａ）が形成され、内側面にはブドウの蔕が滑り抜けることを防ぐための凹凸部（２４９Ａ）が形成されたことを特徴とする請求項１２に記載のブドウ梱包ボックス。
【請求項１６】
前記懸架部材（２４５Ｂ）の支持部（２４７Ｂ）は平板状に形成され、前記支持部（２４７Ｂ）にはブドウの房のブドウの蔕が互い違いに嵌入することによりブドウの房の自重によって支持されるようにする孔（２４８Ｂ）が形成されたことを特徴とする請求項１２に記載のブドウ梱包ボックス。
【請求項１７】
前記ボックス本体の両側面には前記据置部材を支持するための据置台固定溝が対向して形成され、
前記据置部材の両端部には前記据置台固定溝に嵌入する固定突起が曲設され、中央部には前記隔壁の上端の一部を収容して隔壁の流動を防ぐ流動防止溝部が形成されたことを特徴とする請求項１から１６のいずれか一項に記載のブドウ梱包ボックス。
【発明の詳細な説明】
【技術分野】
【０００１】
本発明は、ブドウを梱包するボックスに係り、さらに詳しくは、ブドウの房を梱包袋に入れて別々に梱包した後に、ボックスに自然状態のように立てて梱包することにより、ブドウ粒の脱粒、変形及び損傷を防ぎ、細菌及び害虫からの汚染を防ぎ、究極的に鮮度及び清潔さを最大限に維持できるようにブドウを梱包するブドウ梱包ボックスに関する。
【背景技術】
【０００２】
一般に、ブドウは、その特性から水分が多く、りんごまたは梨などの単一果物などその他の果物に比べて数十個ないし数百個の粒からなる房状果物であり、ブドウの形状が千差万別である。この理由から、ブドウは、その他の果物に比べて搬送及び取扱いに難点があるため、梱包が重要である。
【０００３】
通常のブドウの梱包方式では、ブドウが梱包箱の底面に置かれた状態で搬送または保管されるため、底面と接触する個所にある少数のブドウ粒がブドウの房全体の重さに耐えるため荷重に耐えられずに球状のブドウ粒が潰されたり脱粒されたり損傷されたりし、これにより、ブドウ汁が流れ出て隣り合うブドウの鮮度の低下、腐敗の誘発及びカゲロウなどの虫を生じさせるなど単位梱包箱内の商品性を落として流通中に解消すべき課題として残っており、これにより、流通期間が非常に短くなるという問題点がある。
【発明の概要】
【発明が解決しようとする課題】
【０００４】
本発明は上記事情に鑑みてなされたものであり、その目的は、ブドウの房を梱包袋で別々に梱包してボックスに自然状態のように立てて梱包することにより、ブドウ粒の脱粒、変形及び損傷を防ぎ、細菌及び害虫からの汚染を防ぎ、究極的に鮮度及び清潔さを最大限に維持できるようにブドウを梱包するブドウ梱包ボックスを提供するところにある。
【課題を解決するための手段】
【０００５】
前記目的を達成するための本発明によるブドウ梱包ボックスは、ボックス本体と、前記ボックス本体の内部空間を１以上のブドウ収容空間に画成する隔壁と、ブドウの房を収容して別々に梱包する梱包袋と、前記梱包袋を前記ボックス本体の各ブドウ収容空間に吊り下げて支持するための据置手段と、を備える。
【０００６】
本発明の好適な実施形態によれば、前記据置手段は、前記ボックス本体の上部に設けられ、前記ブドウ収容空間の中央部に配設される掛止溝を有する据置部材と、前記据置部材の掛止溝に引っ掛けるための第１引掛部と前記梱包袋を引っ掛けるための第２引掛部とがＳ字状に湾曲された引掛部材と、を備えることが好ましい。ここで、前記引掛部材の第２引掛部は、前記梱包袋の開口を結束した紐を引っ掛けるためのものであることが好ましい。また、前記据置部材は、前記掛止溝と隣設されて前記引掛部材の前記据置部材に対する左右位置を変更可能にするための第２掛止溝をさらに備えることが好ましい。
【０００７】
本発明の他の実施形態によれば、前記据置手段は、前記ボックス本体の上部に設けられ、前記梱包袋の開口を結束した紐を引っ掛けるための引掛部が一体に形成された据置部材を備えることが好ましい。この例においては、引掛部が一体に形成されることから、別途の引掛部材を備える必要がない。
【０００８】
本発明のさらに他の実施形態によれば、前記据置手段は、前記ボックス本体の上部に設けられ、各ブドウ収容空間の中央部に相当する位置に前面から背面に貫通する固定孔が形成された据置部材と、前記据置部材の固定孔に強固に嵌め込まれて固定される固定突起が上端に形成され、下端には前記梱包袋を把持するはさみが設けられた把持部と、を備えることが好ましい。ここで、前記据置部材は、前記固定孔と隣設されて前記把持部の前記据置部材に対する左右位置を変更可能にするための第２固定孔をさらに備えることが好ましい。
【０００９】
本発明のさらに他の実施形態によれば、前記据置手段は、前記ボックス本体の上部に設けられ、各ブドウ収容空間の中央部に相当する位置に掛止溝が形成された据置部材と、前記据置部材の掛止溝に引っ掛けられる環部が上端に形成され、下端には前記梱包袋を把持するはさみが設けられた把持部と、を備えることが好ましい。ここで、前記据置部材は、前記掛止溝と隣設されて前記把持部の前記据置部材に対する左右位置を変更可能にするための第２掛止溝をさらに備えることが好ましい。
【００１０】
本発明の好適な他の実施形態によれば、ブドウ梱包ボックスは、ボックス本体と、前記ボックス本体の内部に設けられてボックス本体の内部空間を１以上のブドウ収容空間に画成する隔壁と、前記ボックス本体の上部に設けられる据置部材と、ブドウの房を別々に梱包するためのものであって、前記ブドウの房のブドウの蔕が上部にはみ出されるように前記ブドウの房を包み込む梱包袋と、前記梱包袋によって別々に梱包されたブドウの房を前記据置部材に吊り下げて支持するためのものであって、前記据置部材に引っ掛けるための引掛部が上部に形成された円筒状胴体と、前記円筒状胴体の下端部に配設され、ブドウの房のブドウの蔕を差し込んで固定するための多数の切欠された弾性固定片を有する固定プレート及び前記円筒状胴体に係合されて前記固定プレートを固定し、下面の中央部にブドウの房のブドウの蔕が通過する通孔が形成された蓋体を有する懸架部材と、を備える。
【００１１】
ここで、前記円筒状胴体は、上部胴体部と前記蓋体が係合される下部胴体部とに画成され、前記下部胴体部の直径は、前記上部胴体部の直径よりも前記蓋体の厚さに見合う分だけ小さく形成されて、前記蓋体の係合に際して前記円筒状胴体が同じ外表面を形成するように構成されることが好ましい。
【００１２】
また、本発明は、前記下部胴体部の外周面には雄ねじ部が形成され、前記蓋体の内周面には雌ねじ部が形成されて、前記円筒状胴体に対して前記蓋体を螺着するように構成されることが好ましい。あるいは、前記下部胴体部の外周面には環状の固定溝が形成され、前記蓋体の内周面には前記固定溝に嵌入する多数の固定突起が所定の間隔を隔てて隔設されて、前記円筒状胴体に対して前記蓋体をワンタッチ方式により係合するように構成されることが好ましい。
【００１３】
ここで、前記固定溝は、半円形状、四角形状、三角形状、直角三角形状のいずれかの形状に形成され、前記固定突起は、前記固定溝に対応する形状の突起であることが好ましい。
【００１４】
また、前記据置部材は、前記懸架部材の引掛部が引っ掛けられる掛止溝を備えることが好ましく、これに加えて、前記据置部材は、前記掛止溝の両側と隣設されて、前記据置部材に対する前記懸架部材の左右位置を変更可能にするための第２掛止溝をさらに備えることが好ましい。
【００１５】
さらに、前記円筒状胴体及び前記蓋体は、プラスチックから形成され、前記固定プレートは、金属、プラスチック、紙のうちのいずれかの材質から形成されることが好ましい。
【００１６】
本発明の好適なさらに他の実施形態によれば、ボックス本体と、前記ボックス本体の内部に設けられてボックス本体の内部空間を１以上のブドウ収容空間に画成する隔壁と、前記ボックス本体の上部に設けられる据置部材と、ブドウの房を別々に梱包するものであって、前記ブドウの房のブドウの蔕が上部にはみ出されるように包み込む梱包袋と、前記据置部材に引っ掛けるための引掛部と前記梱包袋によって別々に梱包されたブドウの房のブドウの蔕を支持する支持部とを有する懸架部材と、前記懸架部材の支持部に支持されたブドウの房のブドウの蔕を結束して懸架部材に固定するケーブルタイと、を備える。
【００１７】
ここで、前記懸架部材の支持部は、半円筒状に形成され、前記支持部には前記ケーブルタイが嵌入する一対の結束孔が形成され、内側面にはブドウの蔕が滑り抜けることを防ぐための上向きに斜めの多数の凹凸部が形成されることが好ましい。
【００１８】
また、前記懸架部材の支持部は平板状に形成され、前記支持部には前記ケーブルタイが嵌入する一対の結束孔が形成され、内側面にはブドウの蔕が滑り抜けることを防ぐための凹凸部が形成されることが好ましい。
【００１９】
さらに、前記懸架部材の支持部は平板状に形成され、前記支持部にはブドウの房のブドウの蔕が互い違いに嵌入することによりブドウの房の自重によって支持されるようにする孔が形成されることが好ましい。
【００２０】
さらに、前記据置部材は、前記懸架部材の引掛部が引っ掛けられる掛止溝を備えることが好ましく、これに加えて、据置部材は、前記掛止溝の両側と隣設されて、前記据置部材に対する前記懸架部材の左右位置を変更可能にするための第２掛止溝をさらに備えることが好ましい。
【００２１】
前記懸架部材は、プラスチックまたは金属材質から形成されることが好ましい。
【００２２】
一方、本発明の前記ボックス本体は、前後の両側壁にボックスに収納されたブドウの状態を外部から確認するための覗き窓が形成され、左右の両側壁にはボックスを搬送するための把持溝が形成され、前後の両側壁にはボックス搬送用紐を固定するための紐固定溝が形成されることが好ましい。
【００２３】
また、前記ボックス本体は、左右の両側壁の上下部に多数のボックスを積み重ねるときに嵌め合わせられる嵌合突片と嵌合凹溝とが対応するように形成されることが好ましい。
【００２４】
さらに、前記ボックス本体の両側面には前記据置部材を支持するための据置台固定溝が対向して形成され、前記据置部材の両端部には前記据置台固定溝に嵌入する固定突起が曲設され、中央部には前記隔壁の上端の一部を収容して隔壁の流動を防ぐ流動防止溝部が形成されることが好ましい。
【発明の効果】
【００２５】
本発明によれば、ブドウの房を梱包袋で梱包した後に、前記梱包袋をボックス本体に据置手段を用いて自然状態のように立てた状態で据置してブドウを梱包することから、搬送に際してのブドウ粒の脱粒やブドウ粒の損傷を極力抑えることができて流通期間を延ばすことができ、細菌及び害虫からの汚染を防ぐことができるなど、究極的に鮮度及び清潔さを最大限に維持することができる。
【００２６】
また、本発明によれば、据置部材に梱包袋を据置するために設けられた掛止溝（または、固定孔）の左右に引掛部材（または、懸架部材）の前記据置部材に対する左右位置を変更可能にするための第２掛止溝（または、第２固定孔）が形成されているので、ブドウの房のブドウ粒が片側に偏って隔壁と接触する虞がある場合にブドウの房の位置を変更して隔壁と接触されないように梱包することができる。
【００２７】
さらに、本発明によるブドウ梱包ボックスは積み重ね可能であることから搬送及び保管が容易であり、覗き窓を介してボックスに収納されているブドウの状態を目視可能であることから商品の信頼度を高めることができる。
【図面の簡単な説明】
【００２８】
【図１】本発明の一実施形態によるブドウ梱包ボックスの分解斜視図である。
【図２】図１に示すブドウ梱包ボックスにブドウが梱包された状態の斜視図である。
【図３】図２の断面図である。
【図４】本発明によるブドウ梱包ボックスが多数積み重ねられた状態を示す図である。
【図５】本発明の一実施形態によるブドウ梱包ボックスの据置手段の変形例を説明するために示す図である。
【図６】本発明の一実施形態によるブドウ梱包ボックスの引掛部付き据置手段の変形例を説明するために示す図である。
【図７】本発明の一実施形態によるブドウ梱包ボックスの据置手段の他の変形例を説明するために示す図である。
【図８】本発明の一実施形態によるブドウ梱包ボックスの据置手段のさらに他の変形例を説明するために示す図である。
【図９】本発明の一実施形態によるブドウ梱包ボックスの据置手段のさらに他の変形例を説明するために示す図である。
【図１０】本発明の参考形態によるブドウ梱包ボックスの据置手段を説明するために示す図である。
【図１１】本発明の一実施形態によるブドウ梱包ボックスの据置手段のさらに他の変形例を説明するために示す図である。
【図１２】本発明の他の実施形態によるブドウ梱包ボックスの分解斜視図である。
【図１３】図１２に示すブドウ梱包ボックスにブドウが梱包された状態の断面図である。
【図１４】本発明の他の実施形態によるブドウ梱包ボックスの懸架部材の分解斜視図である。
【図１５】図１４の組立て状態断面図である。
【図１６】本発明のさらに他の実施形態によるブドウ梱包ボックスの分解斜視図である。
【図１７】図１６に示すブドウ梱包ボックスにブドウが梱包された状態の断面図である。
【図１８】本発明のさらに他の実施形態によるブドウ梱包ボックスの懸架部材の断面図である。
【図１９】本発明のさらに他の実施形態によるブドウ梱包ボックスの懸架部材の変形例を説明するために示す図である。
【図２０】本発明のさらに他の実施形態によるブドウ梱包ボックスの懸架部材の他の変形例を説明するために示す図である。
【発明を実施するための形態】
【００２９】
以下、添付図面に基づき、本発明の好適な実施形態について詳述する。参考までに、本発明の実施形態を説明するに当たって、関連する公知の機能または構成についての具体的な説明が本発明の要旨を余計に曖昧にする虞があると認められる場合に、それについての詳細な説明は省く。
【００３０】
図１は、本発明の一実施形態によるブドウ梱包ボックスの分解斜視図であり、図２は、図１に示すブドウ梱包ボックスにブドウが梱包された状態の斜視図であり、そして図３は、図２の断面図である。
【００３１】
図１乃至図３に示すように、本発明の一実施形態によるブドウ梱包ボックスは、ボックス本体１０と、隔壁２０と、ブドウの房５０を収容して別々に梱包する梱包袋３０及び前記梱包袋３０を前記ボックス本体１０に据置するための据置手段４０を備える。
【００３２】
前記ボックス本体１０は、上部が開放された通常の四画形状のボックス状を呈する。前記ボックス本体１０は、段ボールなどの紙、発泡スチロール、プラスチック（ＰＰトレイ状に製作する）などから製作されてもよいが、コスト及び成形性を考慮するときに、段ボールなどの紙を用いて製作することが好ましい。一方、図示はしないが、前記ボックス本体１０は、カバーを備えていてもよい。
【００３３】
前記ボックス本体１０の内部には、ボックス本体１０の内部空間を多数のブドウ収容空間（図示例においては、４つ）に画成するための隔壁２０が設けられている。前記隔壁２０もまた段ボールなどの紙、発泡スチロール及びプラスチックなどから製作されてもよいが、コスト及び成形性を考慮したときに、段ボールなどの紙を用いて製作することが好ましい。
【００３４】
一方、この明細書においては、ボックス本体１０の内部が４つのブドウ収容空間に画成された例を示しているが、前記ブドウ収容空間の数はこれに何ら限定されるものではなく、梱包されるブドウの種類や等級に応じて１つから６つに画成することができるなど変更可能である。
【００３５】
前記ボックス本体１０の左右の両側壁の上端部には、後述する据置手段４０を設けるための据置台固定溝１１、１１’が形成されている。前記据置台固定溝１１、１１’は、各ブドウ収容空間の略真ん中に配設されている。この明細書においては、ボックス本体１０のブドウ収容空間が４つであるため、２対の据置台固定溝１１、１１’が設けられた例を示しているが、前記据置台固定溝１１、１１’は、ボックス本体１０のブドウ収容空間の数に応じて増減可能である。
【００３６】
また、前記ボックス本体１０の左右の両側壁には、ボックスを持ち上げて搬送するための把持溝１２、１２’が形成されている。また、前記左右の両側壁の上端部の略中央部には嵌合突片１３、１３’が形成されており、左右の両側壁の下端部の略中央部には前記嵌合突片１３、１３’に対応する嵌合凹溝１４、１４’がそれぞれ形成されている。
【００３７】
前記嵌合突片１３、１３’及び嵌合凹溝１４、１４’は、図４に示すように、多数のブドウ梱包ボックスＡ１、Ａ２、．．．を安全に積み重ねるためのものであり、多数のブドウ梱包ボックスを積み重ねるときに、下部に配設されているブドウ梱包ボックスＡ１の嵌合突片１３、１３’が上部に積み重ねられるブドウ梱包ボックスＡ２の嵌合凹溝１４、１４’に嵌入することにより、ブドウ梱包ボックスが倒れないように安定的に積み重ねることができる。
【００３８】
また、前記ボックス本体１０の前後の両側壁には、ブドウ収容空間に収容されたブドウの房５０の状態を外部から目視するための覗き窓１５が前記ブドウ収容空間に対応する数で形成されており、前後の両側壁の上部にはボックス搬送用紐を固定するための紐固定溝１６が形成されている。一方、図示はしないが、前記覗き窓１５には、異物などの侵入を防ぐために透明なビニールなどが設けられていてもよく、ブドウが収容されたボックス本体１０の上部にも、異物の侵入を防ぐための透明なビニールが設けられていてもよい。
【００３９】
前記梱包袋３０は、ブドウの房５０を収容して別々に梱包するためのものであり、糸、紙、ビニールまたはナイロンなどから形成されてもよく、その形状は、袋状、網状、またはストッキングなどの網紗状などであってもよく、開放された上部からブドウの房５０を入れて上端部を紐でくくってブドウの房を別々に梱包するためのものである。このように、ブドウの房５０を梱包袋３０で別々に梱包すれば、細菌や害虫からの汚染を効果的に防ぐことができ、ブドウ粒の脱粒や損傷をも低減することができる。
【００４０】
前記据置手段４０は、ブドウの房５０が別々に梱包された前記梱包袋３０を前記ボックス本体１０の各ブドウ収容空間に据置するためのものであり、本発明の一実施形態によれば、このような据置手段４０は、据置部材４１とＳ字状の引掛部材４５とを備える。
【００４１】
前記据置部材４１は、前記ボックス本体１０の上部に設けられ、各ブドウ収容空間の中央部に掛止溝４２、４２’が配設される構造を有する。なお、前記Ｓ字状の引掛部材４５は、前記据置部材４１の掛止溝４２、４２’に引っ掛けるための第１引掛部４６と前記梱包袋３０を引っ掛けるための第２引掛部４７とがＳ字状に湾曲される構造を有する。
【００４２】
また、前記据置部材４１の両端部には、前記ボックス本体１０の据置台固定溝１１、１１’に嵌入する固定突起４３、４３’がそれぞれ曲設されており、中央部には、隔壁２０の上端の一部を収容して隔壁２０の流動を防ぐための流動防止溝部４４が形成されている。このような据置部材４１は、金属、合成樹脂（ＰＣやＡＢＳなど）、木などから形成されてもよく、好ましくは、ブドウの重さに耐えるように金属製または軽質の合成樹脂製のものであればよい。より好ましくは、製造コスト及び生産性を考慮して、ＰＣから形成されればよい。
【００４３】
以下、上述した本発明の一実施形態によるブドウ梱包ボックスを用いてブドウを梱包する方法について説明する。
【００４４】
先ず、梱包するブドウの房５０を梱包袋３０に入れ、梱包袋３０の上部を紐などでくくってブドウの房を別々に梱包する。このように、ブドウの房５０を梱包袋３０で別々に梱包すれば、細菌や害虫からの汚染を有効に防ぐことができ、ブドウ粒の脱粒や損傷をも低減することができる。
【００４５】
次いで、Ｓ字状の引掛部材４５の第２引掛部４７に前記梱包袋３０の上部、例えば、紐でくくった部分を引っ掛け、梱包袋３０の引っ掛けられたＳ字状の引掛部材４５をその第１引掛部４６を用いて据置部材４１の掛止溝４２に引っ掛ける。
【００４６】
最後に、上記のように１つまたは２つのブドウの房５０が梱包された梱包袋３０が吊り下げられた前記据置部材４１をボックス本体１０の上部に設ける。このとき、前記据置部材４１の両端部の固定突起４３、４３’がボックス本体１０の据置台固定溝１１、１１’に嵌入し、据置部材４１の中央部の流動防止溝部４４が隔壁２０の上端部の一部を収容するように据置部材４１がボックス本体１０に設けられるため、この据置部材４１に懸架された梱包袋３０は、ボックス本体１０の各ブドウ収容空間の中央部に位置するように吊り下げられて収容される。
【００４７】
上記のように、本発明によるブドウ梱包ボックスは、ブドウの房が梱包袋に別々に梱包された後、この梱包袋が据置手段によってボックス本体に自然状態のように立てられた状態で収納されて梱包されるので、搬送に際してブドウ粒の脱粒や変形及び損傷が発生せず、しかも、細菌や害虫からの汚染を防ぐことができるなどブドウの鮮度と清潔さを最大限に維持して梱包することができる。
【００４８】
添付の図５は、据置手段４０Ａの他の実施形態を説明するために示す図である。図５に示すように、この実施形態における据置手段４０Ａは、据置部材４１Ａに形成された掛止溝４２、４２’と隣設されて前記Ｓ字状の引掛部材４５の据置部材４１Ａに対する左右位置を変更可能にするための第２掛止溝４２”をさらに備える。その他の構成は上述した実施形態と同様であるため、ここでは具体的な説明を省く。
【００４９】
このような他の実施形態によれば、例えば、ブドウの房のブドウ粒が片側に偏っていて、ボックス本体１０のブドウ収容空間の中央部にブドウの房が位置する場合に、一部のブドウ粒が隔壁２０に接触して破損されたり押し潰されたりする虞があるとき、ブドウ収容空間の真ん中に配設されている第１掛止溝４２ではなく、ここから僅かにずれている前記第２掛止溝４２”にＳ字状の引掛部材４５を据置することにより、据置部材４１Ａに対するＳ字状の引掛部材４５の位置を変更して片側に偏ったブドウ粒の分布を有するブドウの房の場合でもブドウ粒が隔壁２０と接触しないように梱包することができる。
【００５０】
図６は、本発明によるブドウ梱包ボックスの据置手段の変形例を説明するために示す図である。
【００５１】
図６に示すように、この変形例における据置手段４０Ｂは、ブドウの房５０が別々に梱包された梱包袋３０をボックス本体１０に据置するための２つの引掛部４５Ｂが据置部材４１Ｂに一体に形成されてなる。その他に、前記据置部材４１Ｂをボックス本体１０に設けるための構成は、上述した一実施形態の場合と同様であるため、ここではその具体的な説明を省く。
【００５２】
この変形例における据置手段４０Ｂによれば、据置部材４１Ｂに引掛部４５Ｂが一体に形成されているので、一実施形態において別途の構成部品として扱われていたＳ字状の引掛部材４５を排除することができるなど構成部品点数の低減を図ることができる。
【００５３】
このような本発明の変形例による据置手段４０Ｂを採用したブドウ梱包ボックスを用いたブドウの梱包方法は、全体的に上述した一実施形態と大差ない。但し、所定の搬送機構によって連続して搬送されてくる据置部材４１Ｂに一体に形成されている引掛部４５Ｂにブドウの房が別々に梱包された梱包袋３０を引っ掛ける一層汚簡素な過程を経てブドウを梱包することができる。
【００５４】
すなわち、一実施形態の場合に、据置部材とＳ字状の引掛部材とが別々の部材となっていたため、Ｓ字状の引掛部材に梱包袋を引っ掛け、梱包袋の引っ掛けられたＳ字状の引掛部材を据置部材に引っ掛けるといった２回の工程を行うことを余儀なくされていたが、他の変形例によれば、据置部材に梱包袋を引っ掛けるときに、１回の工程でも十分である。
【００５５】
図７は、本発明のさらに他の変形例による据置手段４０Ｃを説明するために示す図である。
【００５６】
図７に示すように、この変形例における据置手段４０Ｃは、前記ボックス本体１０の上部に設けられる据置部材４１Ｃと、梱包袋３０を把持して前記据置部材４１Ｃに設けられる把持部４５Ｃと、を備える。
【００５７】
前記据置部材４１Ｃの各ブドウ収容空間の中央部には、それぞれ固定孔４２Ｃ、４２Ｃ’が形成されている。これらの固定孔４２Ｃ、４２Ｃ’は、上述した掛止溝４２、４２’とはその形状が異なるが、同じ概念で設けられたものである。なお、前記据置部材４１Ｃのその他の構成は一実施形態の場合と同様であるため、ここではその具体的な説明を省く。
【００５８】
さらに、前記把持部４５Ｃは、上述したＳ字状の引掛部材４５とはその形状にやや相違点があるが、同じ概念で設けられたものであり、前記Ｓ字状の引掛部材４５が梱包袋３０を引っ掛けるものであるのに対し、把持部４５Ｃは、梱包袋３０をはさみで挟むところに相違点がある。
【００５９】
具体的に、前記把持部４５Ｃは、前記据置部材４１Ｃの固定孔４２Ｃを貫通する棒の上端に係止爪４６Ｃが形成され、下端には前記梱包袋３０を把持するはさみ４７Ｃが設けられてなる。
【００６０】
このような本発明のさらに他の変形例による据置手段４０Ｃを採用したブドウ梱包ボックスの場合に、ブドウの房が別々に梱包された梱包袋３０の上部を前記はさみ４７Ｃで把持した状態で、把持部４５Ｃの係止爪４６Ｃを前記据置部材４１Ｃの固定孔４２Ｃの下部から嵌入して正方向または逆方向に回転させて把持部４５Ｃを据置部材４１Ｃに設ける。ここで、前記固定孔４２Ｃは、例えば、横方向の幅は前記係止爪４６Ｃよりも広くて係止爪４６Ｃが通過することができるが、縦方向の幅は狭いため、係止爪４６Ｃを通過させて回すと、係止爪４６Ｃが固定孔４２Ｃから抜け出ることなく吊り下げられている。
【００６１】
一方、据置手段は、上述した構成の他にも、ブドウの房が別々に梱包された梱包袋をボックス本体に立てた状態で収納して据置できるものであれば、いかなる構造を有するものも好適に採用可能である。
【００６２】
すなわち、図８に示すさらに他の変形例によれば、据置手段４０Ｄは、据置部材４１Ｄの前面から背面に貫通する固定孔４２Ｄが形成され、把持部４５Ｄの上端部に前記固定孔４２Ｄに強固に嵌め込まれる固定突起４６Ｄが垂直に曲設されて、ブドウの房のブドウの蔕を把持した把持部４５Ｄの前記固定突起４６Ｄを据置部材４１Ｄの固定孔４２Ｄに嵌め込んで把持部４５Ｄを据置台４１Ｄに設けるように構成されてもよい。この変形例においても、前記据置部材４１Ｄの固定孔４２Ｄの左右両側には第２固定孔４２Ｄ”が隣設されて、据置部材４１Ｄに対する把持部４５Ｄの左右位置を変更可能なように構成される。
【００６３】
また、図９に示すさらに他の変形例によれば、据置手段４０Ｅは、据置部材４１Ｅの上面に掛止溝４２Ｅが形成され、把持部４５Ｅの上端部に前記掛止溝４２Ｅに引っ掛けられる環部４６Ｅが曲設されて、ブドウの房のブドウの蔕を把持した把持部４５Ｅの前記環部４６Ｅを据置部材４１Ｅの掛止溝４２Ｅに引っ掛けて把持部４５Ｅを据置部材４１Ｅに設けるように構成されてもよい。この変形例においても、前記据置部材４１Ｅの掛止溝４２Ｅの左右両側には第２掛止溝４２Ｅ”が隣設されて、据置部材４１Ｅに対する把持部４５Ｅの左右位置を変更可能なように構成される。
【００６４】
一方、前記図７乃至図９に示す本発明の他の変形例における前記把持部は、ブドウの房を別々に梱包した梱包袋の上部を把持する例を示しているが、前記把持部は、梱包袋を使用しない場合にブドウの房のブドウの蔕を把持してもよい。なお、ブドウの房を梱包用紙で包み込む場合に、ブドウの蔕が上部にはみ出されるように包み込み、はみ出されたブドウの蔕を把持してもよい。
【００６５】
添付の図１０は、本発明の参考形態によるブドウ梱包ボックスの据置手段を説明するための図である。同図に示すように、この参考形態における据置手段４０Ｆは、据置部材４１Ｆとブドウの房５０が収容された梱包袋３０の上部を窄めて前記据置部材４１Ｆに引っ掛けた状態で梱包袋３０を結束して前記据置部材４１Ｆに固定する結束部材４５Ｆを備える。ここで、前記結束部材４５Ｆは、ケーブルタイが好適に使用可能であるが、これに限定されるものではなく、前記結束部材としては、梱包袋３０の上部を据置部材４１Ｆに引っ掛けた後に梱包袋３０の上部をくくる種々の紐が使用可能である。
【００６６】
図１１は、据置手段のさらに他の変形例を説明するための図であり、同図に示すように、この変形例における据置手段４０Ｇは、据置部材４１Ｇとブドウの房５０が収容された梱包袋３０を前記据置部材４１Ｇに引っ掛けた状態で梱包袋を前記据置部材に固定するように前記梱包袋３０に対応するように設けられた一対のスナップボタン４５Ｇを備える。
【００６７】
一方、図示はしないが、前記据置手段は、梱包袋の上部に孔を穿孔しておき、梱包袋にブドウの房を収容した後、前記梱包袋をその孔を用いて前記据置部材の一方の端部から挟み込む方法により据置部材に設けてもよい。
【００６８】
以上の図１０及び図１１に示す据置手段は、ブドウの房を収容した梱包袋を据置部材に引っ掛けるための別途の引掛部材（または、懸架部材）が不要であり、梱包袋を直接的に据置部材に引っ掛けて紐でくくったりスナップボタンでロックすればよいので、梱包工程が簡素化され、しかも、部品点数が減るのでコスト削減を図ることができる。
【００６９】
添付の図１２乃至図１５は、本発明の他の実施形態によるブドウ梱包ボックスを説明するために示す図であり、同図に示すように、本発明の他の実施形態によるブドウ梱包ボックスは、ブドウの房５０を梱包袋１３０で別々に梱包するときにブドウの蔕５１が上部にはみ出されるように別々に梱包し、上記のように外部にはみ出されたブドウの蔕５１を懸架部材１４５で固定した後、前記懸架部材１４５を据置部材１４１に設ける方法により梱包するように構成されている。
【００７０】
その他の構成、すなわち、ボックス本体１１０と、隔壁１２０及び据置部材１４１の構造及び作用は上述した種々の実施形態と同様であるため、関連する参照符号を付してここではその具体的な説明を省き、この実施形態の特徴的な構造について重点的に説明する。ここで、関連する参照符号とは、上述した実施形態の参照符号に１００を加えた符号をいう。
【００７１】
図１２乃至図１５に示すように、ブドウの房５０は、梱包袋１３０にブドウの蔕５１が上部にはみ出される状態で収容されており、梱包袋１３０の開口は、バンドＢによって結束されている。
【００７２】
上記のように梱包袋１３０によって別々に梱包されたブドウの房５０のブドウの蔕５１を懸架部材１４５の下部から差し込むと、前記懸架部材１４５がブドウの房のブドウの蔕５１を固定するが、この懸架部材１４５の構造について詳述すれば、下記の通りである。
【００７３】
前記懸架部材１４５は、前記梱包袋１３０によって別々に梱包されたブドウの房５０を前記据置部材１４１に吊り下げて支持するためのものであって、図１４及び図１５に示すように、円筒状胴体１４６と、固定プレート１４７及び蓋体１４８を備える。ここで、前記円筒状胴体１４６及び蓋体１４８は、プラスチックから形成され、前記固定プレート１４７は、金属、プラスチック及び紙などから形成されることが好ましい。
【００７４】
前記円筒状胴体１４６の上部には、前記懸架部材１４５を前記据置部材１４１に引っ掛けるための引掛部１４６ａが形成される。また、前記円筒状胴体１４６は、上部胴体部１４６−１と前記蓋体１４８が係合される下部胴体部１４６−２とに画成され、前記下部胴体部１４６−２の直径が前記上部胴体部１４６−１の直径よりも前記蓋体１４８の厚さに見合う分だけ小さく形成される。このため、前記蓋体１４８を係合すると、前記円筒状胴体１４６は段差のない同じ外表面を形成する。
【００７５】
また、前記円筒状胴体１４６の下部胴体部１４６−２の外周面には環状の固定溝１４６ｃが形成され、前記蓋体１４８の内周面には前記固定溝１４６ｃに対応する多数の固定突起１４８ｃが所定の間隔を隔てて隔設されてワンタッチ方式により係合されるように構成されている。
【００７６】
ここで、前記固定溝１４６ｃは、半円形状、四画形状、三角形状または直角三角形状に形成されてもよく、前記固定突起１４８ｃは、前記固定溝１４６ｃの形状に対応する突起状に形成されてもよい。好ましくは、固定溝１４６ｃ及び固定突起１４８ｃは、直角三角形状に形成されることが、滑動による離脱を防ぐことができて好ましい。そして、前記固定突起１４８ｃは、３つまたは４つ形成されてもよい。
【００７７】
一方、具体的に図示はしないが、前記円筒状胴体１４６に対する蓋体１４８の係合方式は、螺着方式であってもよい。すなわち、前記下部胴体部の外周面には雄ねじ部が形成され、前記蓋体の内周面には雌ねじ部が形成されて、前記蓋体を前記円筒状胴体に螺着するように構成されてもよい。
【００７８】
前記固定プレート１４７は、前記円筒状胴体１４６の下部胴体部１４６−２と同じ直径の薄い金属板から形成されて前記下部胴体部１４６−２の下端部に配設される。この固定プレート１４７は、多数の切欠された弾性片１４７ａを備え、これにより、固定プレート１４７の下部からブドウの房のブドウの蔕５１が差し込まれると、前記弾性片１４７ａが、図１５に示すように持ち上げられるが、このようにして持ち上げられた弾性片１４７ａは、自体弾性によってその端部がブドウの房のブドウの蔕５１を支持することにより、ブドウの房のブドウの蔕が抜け出ることなく固定される。ここで、前記弾性片１４７ａは、３つないし６つであればよい。
【００７９】
図示の例においては、前記固定プレート１４７が金属から形成されたことを例に取っているが、前記固定プレート１４７は、プラスチックや所定の強度を有する紙から形成されてもよい。また、前記固定プレート１４７が金属から形成される場合に、具体的に図示はしないが、各切欠された弾性片１４７ａの浸炭部が上部に向かって僅かに持ち上げられた状態となる。これにより、固定プレート１４７の下部からブドウの蔕を差し込むときに差し込み易く、差し込まれた後に弾性片がブドウの蔕を一層強固に固定する。
【００８０】
前記蓋体１４８は、前記円筒状胴体１４６の下部胴体部１４６−２に螺着方式またはワンタッチ方式により係合されることにより、前記下部胴体部１４６−２の下端部に配設された固定プレート１４７を固定する。前記蓋体１４８は、その下面の中央部にブドウの房のブドウの蔕５１が通過する通孔１４８ａが形成されており、プラスチックなどから形成されてもよい。
【００８１】
添付の図１６乃至図２０は、本発明のさらに他の実施形態によるブドウ梱包ボックスを説明するために示す図であり、同図に示すように、本発明のさらに他の実施形態によるブドウ梱包ボックスは、ブドウの房５０を梱包袋２３０で別々に梱包するときにブドウの蔕５１が上部にはみ出されるように別々に梱包し、上記のように外部にはみ出されたブドウの蔕５１を懸架部材２４５に配置してケーブルタイ２６０で結束して固定した後、前記懸架部材２４５を据置部材２４１に設ける方法により梱包するように構成されている。
【００８２】
その他の構成、すなわち、ボックス本体２１０と、隔壁２２０及び据置部材２４１の構造及び作用は、上述した種々の実施形態と同様であるため、関連する参照符号を付してここではその具体的な説明を省き、この実施形態の特徴的な構造について重点的に説明する。ここで、関連する参照符号とは、上述した実施形態の参照符号に２００を加えた符号をいう。
【００８３】
図１６乃至図１８に示すように、ブドウの房５０は、梱包袋２３０にブドウの蔕５１が上部にはみ出される状態で収容されており、梱包袋２３０の開口は、バンドＢによって結束されている。
【００８４】
上記のように梱包袋２３０で別々に梱包されたブドウの房５０のブドウの蔕５１を前記懸架部材２４５に配置した状態でケーブルタイ２６０でブドウの蔕５１と懸架部材２４５を結束して固定するが、前記懸架部材２４５及びケーブルタイ２６０の構造について詳述すれば、下記の通りである。
【００８５】
前記懸架部材２４５は、図１７及び図１８に示すように、前記据置部材２４１に引っ掛けるための引掛部２４６とブドウの房５０のブドウの蔕５１が支持される支持部２４７を備え、プラスチックや金属などから形成されてもよい。図１７及び図１８においては、前記支持部２４７が、下部が開放された半円筒状に形成された例を示している。
【００８６】
前記引掛部２４６は、前記据置部材２４１の掛止溝２４２、２４２’に引っ掛けるためのものであり、コ字状またはＳ字状に形成されてもよい。前記引掛部２４６と前記掛止溝２４２、２４２’によって前記据置部材２４１に設けられる懸架部材２４５は、左右方向に流動することなく安定的に設けられる。
【００８７】
前記半円筒状の支持部２４７には、水平方向に一対の結束孔２４８が形成されており、前記結束孔２４８を介して嵌入する後述するケーブルタイ２６０によって支持部２４６に支持されたブドウの蔕５１は、抜け出ないように強固に固定される。なお、前記支持部２４７の内側面のブドウの蔕と接触する綿には、前記ケーブルタイ２６０によって結束されたブドウの蔕５１が下方に滑り抜けることを防ぐための凹凸部２４９が形成され、これにより、ブドウの蔕５１は、一層安定的に固定される。前記凹凸部２４９は、上向きに斜めに形成されることが好ましい。
【００８８】
前記ケーブルタイ２６０は、前記懸架部材２４５の支持部２４６に支持されたブドウの蔕５１を結束するためのものであり、ヘッド部２６１及びバンド部２６２を有する通常の電線の片付けに用いられるものを採用することができる。
【００８９】
このように構成された本発明のさらに他の実施形態によるブドウ梱包ボックスを用いてブドウを梱包する方法は、下記の通りである。
【００９０】
本発明における前記ケーブルタイ２６０は、前記懸架部材２４５の支持部２４７に形成された結束孔２４８を介して支持部２４７に緩んだ状態で設けられている。ブドウの房５０のブドウの蔕５１は、前記支持部２４７の内側に配置されるが、支持部２４７におけるケーブルタイ２６０の奥側に配置される。
【００９１】
このような状態で、前記ケーブルタイ２６０を、通常の電線の片付け方法と同様に、バンド部２６２をヘッド部２６１に差し込んで引っ張ると、図１８に示すように、支持部２４７に配置されたブドウの蔕５１がケーブルタイ２６０によって結束されることにより、抜け出ないように固定される。このとき、前記支持部２４７の内側面にはブドウの蔕５１と接触する個所に上向きに斜めの多数の凹凸部２４９が形成されているため、ケーブルタイ２６０によって固定されたブドウの蔕５１は、下方に滑り抜けることなく一層安全に固定可能になる。
【００９２】
上記のように懸架部材２４５にブドウの房のブドウの蔕５１を固定した後、ブドウの房が吊り下げられた前記懸架部材２４５をボックス本体２１０の据置部材２４１に設ける。このとき、懸架部材２４５の引掛部２４６が据置部材２４１の掛止溝２４２に引っ掛けられるので、懸架部材２４５は、左右に流動することなく安定的に設けられる。
【００９３】
図１９は、本発明のさらに他の実施形態によるブドウ梱包ボックスの懸架部材２４５Ａの変形例を説明するために示す図である。同図に示すように、この変形例による懸架部材２４５Ａは、懸架部材２４５Ａの支持部２４７Ａが半円筒状ではなく、平板状に形成されていることを除いては、上述した図１８に示す懸架部材２４５と同じ構成を有する。このため、図１８に示す懸架部材２４５の参照符号にＡを加えた関連する参照符号を付し、その具体的な説明を省く。
【００９４】
最後に、図２０は、本発明のさらに他の実施形態によるブドウ梱包ボックスの懸架部材２４５Ｂの他の変形例を説明するために示す図である。同図に示すように、この変形例による懸架部材２４５Ｂは、懸架部材２４５Ｂの支持部２４７Ｂが平板状に形成されており、この支持部２４７Ｂにブドウの房５０のブドウの蔕５１が互い違いに嵌入することにより、ブドウの房５０の自重によって支持されるようにする孔２４８Ｂが形成されている。
【００９５】
上記の懸架部材２４５Ｂの支持部２４７Ｂに形成されている孔２４８Ｂに、ブドウの房５０のブドウの蔕５１を、図２０に示すように、梱包袋２３０で包み込んだ状態で互い違いに嵌入すると、ブドウの房５０の自重によってブドウの房のブドウの蔕５１が前記支持部２４７Ｂに固定される。このような状態で、ケーブルタイ２６０を用いて前記孔２４８Ｂに嵌め込まれた梱包袋２３０とブドウの蔕５１を結束して強固に固定する。
【００９６】
すなわち、図２０に示す実施形態においては、梱包袋２３０をくくるための別途のバンドを用いることなく、梱包袋２３０にブドウの房５０を入れた後、ブドウの蔕５１と梱包袋２３０を一緒に懸架部材の孔に差し込み、ケーブルタイ２６０で結束する。したがって、梱包袋をバンドでくくる工程を排除することができる。
【００９７】
その他の構成及び作用効果は、上述した種々の実施形態と同様であるため、ここではその具体的な説明を省く。特に、この変形例を説明するための図２０においては、図１８及び図１９に示す懸架部材２４５、２４５Ａと同じ部材に対して関連する参照符号、すなわち、それぞれの符号にＢを加えた参照符号を付し、重複する説明は省く。
【００９８】
以上、本発明の好適な実施形態について図示及び説明したが、本発明は上記の実施形態に何ら限定されるものではなく、特許請求の範囲に記載の本発明の要旨を逸脱することなく、本発明が属する技術分野において通常の知識を有する者であれば、誰でも種々の変形実施が可能であるということはいうまでもなく、このような変更は請求範囲の内にある。
【符号の説明】
【００９９】
１０、１１０、２１０：ボックス本体
１１、１１’、１１１、１１１’、２１１、２１１’：据置台固定溝
１２、１２’、１１２、１１２’、２１２、２１２’：把持溝
１３、１３’、１１３、１１３’、２１３、２１３’、１４、１４’、１１４、１１４’、２１４、２１４’：嵌合突片及び凹溝
１５、１１５、２１５：覗き窓              
１６、１１６、２１６：紐固定溝
２０、１２０、２２０：隔壁                
３０、１３０、２３０：梱包袋
４０、４０Ａ、４０Ｂ、４０Ｃ、４０Ｄ、４０Ｅ、４０Ｆ、４０Ｇ：据置手段
４１、４１Ａ、４１Ｂ、４１Ｃ、４１Ｄ、４１Ｅ、４１Ｆ、４１Ｇ：据置部材
４２、４２’、４２”、４２Ｅ、４２Ｅ”、１４２、１４２’、２４２、２４２’：掛止溝
４２Ｃ、４２Ｄ’、４２Ｄ、４２Ｄ”：固定孔      
４３、４３’、１４３、１４３’２４３、２４３’：固定突起
４４、１４４、２４４：流動防止溝部        
４５：Ｓ字状の引掛部材
４５Ｂ：引掛部                     
４５Ｃ、４５Ｄ、４５Ｅ：把持部
４５Ｆ：結束部材             
４５Ｇ：スナップボタン
４６、４７：Ｓ字状の引掛部材の第１及び第２引掛部
４６Ｃ：係止爪                     
４６Ｄ：固定突起
４６Ｅ：環部                       
４７Ｃ：はさみ
５０：ブドウの房                   
５１：ブドウの蔕
１４５、２４５、２４５Ａ、２４５Ｂ：懸架部材    
２６０：ケーブルタイ
【図１】
0005566515.tif 000002
【図２】
0005566515.tif 000003
【図３】
0005566515.tif 000004
【図４】
0005566515.tif 000005
【図５】
0005566515.tif 000006
【図６】
0005566515.tif 000007
【図７】
0005566515.tif 000008
【図８】
0005566515.tif 000009
【図９】
0005566515.tif 000010
【図１０】
0005566515.tif 000011
【図１１】
0005566515.tif 000012
【図１２】
0005566515.tif 000013
【図１３】
0005566515.tif 000014
【図１４】
0005566515.tif 000015
【図１５】
0005566515.tif 000016
【図１６】
0005566515.tif 000017
【図１７】
0005566515.tif 000018
【図１８】
0005566515.tif 000019
【図１９】
0005566515.tif 000020
【図２０】
0005566515.tif 000021